(57)【要約】【課題】集塵部および／又はその下流に配されたフィルターでの塵埃による目詰まり、汚れが発生しにくい集塵容器および電気掃除機を提供する。【解決手段】塵埃を遠心分離する分離部１９と、粗塵を収容する粗塵収容室２０と細塵を収容する細塵収容室２１から成る集塵部２２と、回動自在に前記集塵部２２の開口を開閉する蓋体２３と、弾性材料からなり前記集塵部２２と前記蓋体２３とのエアータイトを行なうパッキン２５とを備え、前記パッキン２５の前記細塵収容室２１とのタイト部の断面を先端側が開口したリップ形状としたことを特徴とするもので、パッキン２５の弾性と、先端開口のリップ形状により、完全にエアータイトされ、細塵が分離部１９に逆流することがないので、分離部１９内の吸気フィルターＡ２７の目詰まりが発生しにくくなる。【選択図】図３
2005218479.tif 000002
【特許請求の範囲】
【請求項１】
塵埃を遠心分離する分離部と、粗塵を収容する粗塵収容室と細塵を収容する細塵収容室から成る集塵部と、回動自在に前記集塵部の開口を開閉する蓋体と、弾性材料からなり前記集塵部と前記蓋体とのエアータイトを行なうパッキンとを備え、前記パッキンの前記細塵収容室とのタイト部の断面を先端側が開口したリップ形状としたことを特徴とする集塵容器。
【請求項２】
塵埃を遠心分離する分離部と、粗塵を収容する粗塵収容室と細塵を収容する細塵収容室から成る集塵部と、回動自在に前記集塵部の開口を開閉する蓋体と、弾性材料からなり前記集塵部と前記蓋体とのエアータイトを行なうパッキンとを備え、前記パッキンの前記細塵収容室とのタイト部の断面を凹形状としたことを特徴とする集塵容器。
【請求項３】
タイト部の凹形状の前後の高さを変えたことを特徴とする請求項２記載の集塵容器。
【請求項４】
塵埃を遠心分離する分離部と、粗塵を収容する粗塵収容室と細塵を収容する細塵収容室から成る集塵部と、回動自在に前記集塵部の開口を開閉する蓋体と、弾性材料からなり前記集塵部と前記蓋体とのエアータイトを行なうパッキンとを備え、前記パッキンの前記細塵収容室とのタイト部の断面を略Ｉ形状としたことを特徴とする集塵容器。
【請求項５】
タイト部を蓋体の回動軸中心より上側とし、かつ細塵収容室内壁面をタイト面とした請求項４記載の集塵容器。
【請求項６】
タイト部を蓋体の回動軸中心より下側とし、かつ細塵収容室外壁面をタイト面とした請求項４記載の集塵容器。
【請求項７】
塵埃を遠心分離する分離部と、粗塵を収容する粗塵収容室と細塵を収容する細塵収容室から成る集塵部と、回動自在に前記集塵部の開口を開閉する蓋体と、弾性材料からなり前記集塵部と前記蓋体とのエアータイトを行なうパッキンとを備え、前記パッキンの前記細塵収容室とのタイト部に発泡材からなる別体を設けたことを特徴とする集塵容器。
【請求項８】
細塵収容室側壁を反回動軸側に広げたことを特徴とする請求項２〜７のいずれか１項に記載の集塵容器。
【請求項９】
塵埃を遠心分離する分離部と、粗塵を収容する粗塵収容室と細塵を収容する細塵収容室から成る集塵部と、回動自在に前記集塵部の開口を開閉する蓋体と、弾性材料からなり前記集塵部と前記蓋体とのエアータイトを行なうパッキンとを備え、前記パッキンのタイト部を中空にして前記蓋体と一体成形したことを特徴とする集塵容器。
【請求項１０】
パッキンを硬度４０〜７０度のエラストマーにて成形した請求項１〜９のいずれか１項に記載の集塵容器。
【請求項１１】
電動送風機を備え、前記電動送風機と請求項１〜１０のいずれか１項に記載の集塵容器とを連通させた電気掃除機。
【発明の詳細な説明】
【技術分野】
【０００１】
本発明は電気掃除機本体に装着される集塵容器並びにこの集塵容器を有する電気掃除機に関するものである。
【背景技術】
【０００２】
従来の、遠心分離方式いわゆるサイクロン方式で塵埃を捕集する電気掃除機の集塵容器は、円筒状に形成されたサイクロン集塵部と、上部に配され細塵を捕集するフィルターと、下方に設けられ、サイクロン集塵部で分離された比較的大きな粗塵を廃棄するための開閉自在の蓋を備え、塵埃を含んだ空気はサイクロン集塵部に円周接線方向から流入し、サイクロン集塵部の内壁に沿うように旋回し、分離された比較的大きい粗塵は集塵容器本体に蓄積され、細塵は、フィルターに蓄積されるものであった（例えば、特許文献１、特許文献２参照）。
【特許文献１】特開２００３−２４２５０号公報
【特許文献２】特開２０００−３４２４９２号公報
【発明の開示】
【発明が解決しようとする課題】
【０００３】
しかしながら、上記従来の集塵容器の構成では、ごみ捨て時に蓋を開き、粗塵は容易に捨てられるが、細塵は、フィルターに捕集、蓄積されるため、フィルターのメンテナンス（細塵の除去、フィルターの目詰り解消等）が煩わしく、また不衛生であった。また、新たに粗塵と細塵を分離して集塵部に蓄積するにも、蓋体の寸法バラツキ、反り等により、細塵収容部のタイトが不完全で細塵の逆流によりフィルター目詰りが促進される等の課題があった。
【０００４】
本発明は、前記従来の課題を解決するもので、集塵部および／又はその下流に配されたフイルターでの目詰まりが発生しにくく、メンテナンスの容易な集塵容器及び電気掃除機を提供することを目的とする。
【課題を解決するための手段】
【０００５】
上記従来の課題を解決するために、本発明の集塵容器は、塵埃を遠心分離する分離部と、粗塵を収容する粗塵収容室と細塵を収容する細塵収容室から成る集塵部と、回動自在に前記集塵部の開口を開閉する蓋体と、弾性材料からなり前記集塵部と前記蓋体とのエアータイトを行なうパッキンとを備え、前記パッキンの前記細塵収容室とのタイト部の断面を先端側が開口したリップ形状としたことを特徴とするもので、パッキンの弾性と、先端側が開口のリップにより、完全にエアータイトができるので、細塵が分離部に逆流することがなく、分離部及びその下流に配されたフイルターの目詰まりが発生しにくくなるものである。
【０００６】
また、本発明の電気掃除機は、電動送風機を備え、前記電動送風機と請求項１〜１０のいずれか１項に記載の集塵容器を連通させたもので、集塵部と蓋体との間のエアータイトが完全で、細塵が分離部に逆流することがないので、分離部及びその下流に配されたフイルターの汚れ、目詰まりが発生しにくく、ごみ捨てが容易な電気掃除機を提供することができる。
【発明の効果】
【０００７】
本発明の集塵容器および電気掃除機は、集塵部および／又はその下流に配されたフイルターでの塵埃による目詰まり、汚れが発生しにくく、メンテナンスが容易である。
【発明を実施するための最良の形態】
【０００８】
第１の発明は、塵埃を遠心分離する分離部と、粗塵を収容する粗塵収容室と細塵を収容する細塵収容室から成る集塵部と、回動自在に前記集塵部の開口を開閉する蓋体と、弾性材料からなり前記集塵部と前記蓋体とのエアータイトを行なうパッキンとを備え、前記パッキンの前記細塵収容室とのタイト部の断面を先端側が開口したリップ形状としたことを特徴とするもので、パッキンの弾性と、先端側が開口のリップにより、完全にエアータイトができるので、細塵が分離部に逆流することがなく、分離部及びその下流に配されたフィルターの目詰まりが発生しにくくなるものである。
【０００９】
第２の発明は、塵埃を遠心分離する分離部と、粗塵を収容する粗塵収容室と細塵を収容する細塵収容室から成る集塵部と、回動自在に前記集塵部の開口を開閉する蓋体と、弾性材料からなり前記集塵部と前記蓋体とのエアータイトを行なうパッキンとを備え、前記パッキンの前記細塵収容室とのタイト部の断面を凹形状としたことを特徴とするもので、凹部に細塵収容室壁を挿入することによりエアータイトをより確実に行うことができる。
【００１０】
第３の発明は、タイト部の凹形状の前後の高さを変えたことを特徴とするもので、細塵収容室壁がタイト部に嵌合しやすくなり、蓋体の開閉もスムースに行なえるようになるものである。
【００１１】
第４の発明は、塵埃を遠心分離する分離部と、粗塵を収容する粗塵収容室と細塵を収容する細塵収容室から成る集塵部と、回動自在に前記集塵部の開口を開閉する蓋体と、弾性材料からなり前記集塵部と前記蓋体とのエアータイトを行なうパッキンとを備え、前記パッキンの前記細塵収容室とのタイト部の断面を略Ｉ形状としたことを特徴とするもので、蓋体の閉時にタイト面を圧接させることができ、完全にエアータイトができるものである。
【００１２】
第５の発明は、特に、第４の発明のタイト部を、蓋体の回動軸中心より上側とし、かつ細塵収容室内壁面をタイト面としたもので、蓋体の閉時にタイト面を圧接させることができ、完全にエアータイトができるものである。
【００１３】
第６の発明は、特に、第４の発明のタイト部を、蓋体の回動軸中心より下側とし、かつ細塵収容室外壁面をタイト面としたもので、蓋体の閉時にタイト面を圧接させることができ、完全にエアータイトができるものである。
【００１４】
第７の発明は、塵埃を遠心分離する分離部と、粗塵を収容する粗塵収容室と細塵を収容する細塵収容室から成る集塵部と、回動自在に前記集塵部の開口を開閉する蓋体と、弾性材料からなり前記集塵部と前記蓋体とのエアータイトを行なうパッキンとを備え、前記パッキンの前記細塵収容室とのタイト部に発泡材からなる別体を設けたことを特徴とするもので、製造金型を安価に形成できるものである。
【００１５】
第８の発明は、特に、第２〜７のいずれか１つの発明の細塵収容室側壁を、反回動軸側に広げたもので、蓋体を閉じた時にタイト面を圧接させることができ、完全にエアータイトができるものである。
【００１６】
第９の発明は、塵埃を遠心分離する分離部と、粗塵を収容する粗塵収容室と細塵を収容する細塵収容室から成る集塵部と、回動自在に前記集塵部の開口を開閉する蓋体と、弾性材料からなり前記集塵部と前記蓋体とのエアータイトを行なうパッキンとを備え、前記パッキンのタイト部を中空にして前記蓋体と一体成形したことを特徴とするもので、タイト部の弾性を確保し、完全にエアータイトができるものである。
【００１７】
第１０の発明は、特に、第１〜９のいずれか１つの発明のパッキンを、硬度４０〜７０度のエラストマーにて成形したもので、タイト部の弾性を確保し、完全にエアータイトができるものである。
【００１８】
第１１の発明は、電動送風機を備え、前記電動送風機と請求項１〜１０のいずれか１項に記載の集塵容器とを連通させた電気掃除機で、集塵容器と蓋体との間のエアータイトが完全で、細塵が分離部に逆流することがないので、分離部及びその下流に配されたフィルターの汚れ、目詰まりが発生しにくく、ごみ捨てが容易な電気掃除機を提供することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における集塵容器を備えた電気掃除機の全体構成を示す斜視図、図２は、同電気掃除機の掃除機本体の断面図、図３は、同集塵容器の断面図、図４は、同集塵容器の正面図、図５は、同集塵容器の蓋体を除いた下面図、図６（ａ）は同集塵容器の蓋体の上面図、（ｂ）は同蓋体の断面図である。
【００２１】
図において、１は、掃除機本体で、前部に吸気口４３を備えている。４はホースで、一端に吸気口４３に接続されるホース継ぎ手３を有し、他端には掃除をする際に操作する手元ハンドル２を有し、その手元ハンドル２に、延長管５を介して塵埃を吸引する吸込具６が連通している。また、掃除機本体１は、枢支された１個の前輪キャスター７と一対の後輪８とを備えている。
【００２２】
この掃除機本体１の外郭は、図２に示すように、下本体９と上本体１０と本体カバー１１とで構成されている。電動送風機１２は、吸引風を発するもので、前方は第１サポートゴム１３で支持され、後方は第２サポートゴム１４を介して第１モーターカバー１５と第２モーターカバー１６により支持されて下本体９に装着し固定されている。
【００２３】
図２〜図６に示されるように、吸引された塵埃を捕集する集塵容器１７は、その外郭を構成する本体ケース１８と、塵埃を遠心分離する分離部１９と、粗塵を蓄積する粗塵収容室２０及び細塵を蓄積する細塵収容室２１からなる集塵部２２と、前記集塵部２２を開閉自在に閉鎖する蓋体２３を有している。前記蓋体２３の一端は本体ケース１８に回動軸２４を介して回動自在に支持され、蓋体２３の周囲及び一部には粗塵収容室２０及び細塵収容室２１の一端に接しエアータイトするパッキン２５を配している。
【００２４】
前記パッキン２５は硬度４０〜７０度のエラストマー等の弾性体を用いて蓋体２３と一体に成形され、粗塵収容室２０及び細塵収容室２１の一端と接しエアータイトする部分の断面は、先端に側方に開口した開口部２６を有したリップ形状としている。なお、前記集塵部２２は下方開口で、前記蓋体２３が下方に回動することで、前記開口部を開放させる構成となっている。
【００２５】
前記分離部１９の電動送風機１２側に電動送風機１２の吸気側と連通する吸気フィルターＡ２７、吸気フィルターＢ２８を順に配し、前記分離部１９と集塵部２２との間に粗塵捕集手段となる捕集フィルター２９を配している。前記集塵容器１７外郭に臨んで把手部３０と、前記把手部３０近傍に蓋体２３を開操作する操作部３１を前記集塵容器１７外郭の上部に有し、さらに前記操作部３１を覆うカバー体３２を配している。前記操作部３１は一端に回動軸４１を有し、下部に設けたスプリング３４で上方に附勢され、他端に操作棒３５の一端を連結している。前記操作棒３５の他端は前記蓋体２３を閉じた状態に保持する尾錠３６に連動するように配されている。
【００２６】
前記尾錠３６はバネ３７により蓋体２３を閉じる状態で維持する方向に附勢され、一端に蓋体２３の端部を保持する保持部３８を、他端にレバー部３９を有している。４０はフロントカバーで前記把手部３０を一体に形成し、前記カバー体３２に設けた回転軸３３を回転自在に保持するとともに、前記操作部３１、操作棒３５、尾錠３６等を覆うように前面より固定されている。この集塵容器１７は、電動送風機１２の吸気上流側、すなわち下本体９の前方に形成した凹部４２に取り外し可能に装着されるとともに、装着時に掃除機本体１に設けた吸気口４３と連通するようになっている。
【００２７】
上記構成による作用は以下の通りである。
【００２８】
掃除機本体１の吸気口４３にホース４のホース継ぎ手３を連結し、ホース４の他端に設けた手元ハンドル２に延長管５を介して吸込具６を連結し、運転を開始すると、吸気口４３より流入した塵埃を含んだ吸気気流は、粗塵収容室２０に流入し、捕集フィルター２９で吸気気流に含まれた粗塵が捕集され、捕集フィルター２９の穴よりも体積の小さい細塵は吸気気流と共に分離部１９に入り遠心分離され、遠心分離された細塵は細塵収容室２１へ送り込まれる。
【００２９】
分離部１９にて殆ど塵埃がない状態となった吸気気流は吸気フィルターＡ２７、吸気フィルターＢ２８を通って電動送風機１２に吸引される。粗塵収容室２０と細塵収容室２１は、蓋体２３に設けたパッキン２５によりタイトされているため、粗塵収容室２０と細塵収容室２１間での空気の流れが無く細塵が分離部１９に逆流することなく吸気フィルターＡ２７、吸気フィルターＢ２８の汚れ、目詰りが解消される。
【００３０】
集塵容器１７に溜まった塵埃を廃棄する際には、把手部３０を握り集塵容器１７を持上げ、掃除機本体１の凹部４２から取り外す。
【００３１】
次に把手部３０を握ったまま指でカバー体３２を上方に開き、操作部３１を押すことにより操作棒３２が下方に移動して尾錠３６を解除させ、粗塵収容室２０と細塵収容室２１を閉鎖する蓋体２３が下方に自重で開き集塵部２２内の塵埃を廃棄することができる。
【００３２】
このように本実施の形態によれば吸気フィルターＡ２７、吸気フィルターＢ２８の汚れ、目詰りが少ないため、メンテナンス、ごみ捨てが極めて容易な集塵容器を提供できる。
【００３３】
（実施の形態２）
図７（ａ）は、本発明の第２の実施の形態における集塵容器の蓋体の上面図、（ｂ）は、同蓋体の断面図である。なお、上記実施の形態と同一部分については同一符号を付してその説明を省略する。
【００３４】
本実施の形態は、蓋体２３に設けたパッキン２５の細塵収容室２１の端部と接しエアータイトするタイト部４４の断面を略凹形状としたもので、前記タイト部４４の上部内面に突出部４４ａを設けている。蓋体２３を閉じた時には、細塵収容室２０を形成する細塵収容室壁４５が前記タイト部４４に嵌合し、蓋体２３に設けたパッキン２５にて細塵収容室２１の一端と接しエアータイトするものである。
【００３５】
以上のように、本実施の形態によれば、略凹形状のタイト部４４で完全なエアータイトができるとともに、突出部４４ａにより細塵収容室壁４５等の製造時に発生する左右方向の寸法バラツキも吸収することができるものである。
【００３６】
（実施の形態３）
図８は、本発明の第３の実施の形態における集塵容器の蓋体の上面図、（ｂ）は、同蓋体の断面図である。なお、上記実施の形態と同一部分については同一符号を付してその説明を省略する。
【００３７】
本実施の形態は、蓋体２３に設けたパッキン２５の細塵収容室２１の一端と接しエアータイトするタイト部４４の断面を略凹形状とすると共に、その上部内面に突出部４４ａを設け、前記タイト部４４の回動軸２４側の高さを回動軸２４と反対側より高くしたもので、それにより蓋体２３の回動時に細塵収容室壁４５が前記タイト部４４に嵌合しやすくなり、蓋体２３の開閉がスムースに行なえるようになり、勿論エアータイトも完全に行えるものである。
【００３８】
（実施の形態４）
図９は、本発明の第４の実施の形態における集塵容器の蓋体の上面図、（ｂ）は、同蓋体の断面図である。図１０は、同集塵容器の蓋体を除いた時の下面図である。なお、上記実施の形態と同一部分については同一符号を付してその説明を省略する。
【００３９】
本実施の形態は、蓋体２３に設けたパッキン２５の細塵収容室２１の一端と接し反回動軸２４側から当接してエアータイトするタイト部４７の断面形状を略Ｉ形状とするとともに、細塵収容室２１のタイト部４７を回動軸２４中心より上方に位置させたものである。また、細塵収容室２１の側壁４８を前方に向かって反回動軸２４側に広げている。
【００４０】
上記構成により、蓋体２３の閉時には、前記Ｉ形状のタイト部４７が反回動軸２４側より細塵収容室壁４５に押圧されるため、完全にエアータイトが行えるものである。
【００４１】
（実施の形態５）
図１１は、本発明の第５の実施の形態における集塵容器の蓋体の上面図、（ｂ）は、同蓋体の断面図である。なお、上記実施の形態と同一部分については同一符号を付してその説明を省略する。
【００４２】
本実施の形態は、パッキン２５にて細塵収容室２１の一端と接し回動軸２４側から当接してエアータイトするタイト部４７の断面形状をＩ形状とするとともに、細塵収容室２１のタイト部４７を回動軸２４より下方に位置させ、さらに、第４の実施の形態同様細塵収容室２１の側壁４８を反回動軸２４側に広げている。
【００４３】
前記構成によると、蓋体２３の閉時には、前記タイト部４７が回動軸２４側より細塵収容室２１細塵収容室壁４５に押圧されるため、完全にエアータイトが行えるものである。
【００４４】
（実施の形態６）
図１２は、本発明の第６の実施の形態における集塵容器の蓋体の上面図、（ｂ）は、同蓋体の断面図である。なお、上記実施の形態と同一部分については同一符号を付してその説明を省略する。
【００４５】
本実施の形態は、パッキン２５の細塵収容室２１の一端と接しエアータイトするタイト部４９ａに、発泡材等からなる別体４９を接着等により取り付けたもので、パッキン２５のタイト部４９ａの部分の製造金型の構成が簡素になり、安価に形成できると共に、発泡材特有の弾性によりエアータイトも確実に行えるものである。
【００４６】
（実施の形態７）
図１３は、本発明の第７の実施の形態における集塵容器の蓋体の上面図、（ｂ）は、同蓋体の断面図である。なお、上記実施の形態と同一部分については同一符号を付してその説明を省略する。
【００４７】
本実施の形態は、パッキン２５の細塵収容室２１の一端と接しエアータイトするタイト部５０ａに中空部５０を設けるもので、パッキン２５の成形時に蓋体２３下面よりエアーを注入しパッキン２５の内部に中空部５０を形成するようにする。
【００４８】
上記構成により、タイト部５０ａの面が弾力性に富み、変形、クリープが生じにくく、完全なエアータイトが行えるものである。
【産業上の利用可能性】
【００４９】
以上のように、本発明にかかる集塵容器および電気掃除機は、集塵部および／又はその下流に配されたフィルターでの塵埃による目詰まり、汚れが発生しにくく、メンテナンスが容易で、家庭用、業務用、店舗用の各種電気掃除機、吸塵機に適用可能である。
【図面の簡単な説明】
【００５０】
【図１】本発明の実施の形態１における集塵容器を搭載した電気掃除機の斜視図
【図２】同電気掃除機の掃除機本体の断面図
【図３】同集塵容器の断面図
【図４】同集塵容器の正面図
【図５】同集塵容器の蓋体を除いた下面図
【図６】（ａ）同集塵容器の蓋体の上面図（ｂ）同蓋体の断面図
【図７】（ａ）本発明の実施の形態２における集塵容器の蓋体の上面図（ｂ）同蓋体の断面図（ｃ）図７（ｂ）の拡大図
【図８】（ａ）本発明の実施の形態３における集塵容器の蓋体の上面図（ｂ）同蓋体の断面図（ｃ）図８（ｂ）の拡大図
【図９】（ａ）本発明の実施の形態４における集塵容器の蓋体の上面図（ｂ）同蓋体の断面図（ｃ）図９（ｂ）の拡大図
【図１０】同集塵容器の蓋体を除いた下面図
【図１１】（ａ）本発明の実施の形態５における集塵容器の蓋体の上面図（ｂ）同蓋体の断面図（ｃ）図１１（ｂ）の拡大図
【図１２】（ａ）本発明の実施の形態６における集塵容器の蓋体の上面図（ｂ）同蓋体の断面図
【図１３】（ａ）本発明の実施の形態７における集塵容器の蓋体の上面図（ｂ）同蓋体の断面図
【符号の説明】
【００５１】
１７  集塵容器
１８  本体ケース
１９  分離部
２０  粗塵収容室
２１  細塵収容室
２２  集塵部
２３  蓋体
２４  回動軸
２５  パッキン
２７  吸気フィルターＡ
２８  吸気フィルターＢ
４４、４７  タイト部
４５  細塵収容室壁
４８  側壁
４９  別体
５０  中空部
【図１】
2005218479.tif 000003
【図２】
2005218479.tif 000004
【図３】
2005218479.tif 000005
【図４】
2005218479.tif 000006
【図５】
2005218479.tif 000007
【図６】
2005218479.tif 000008
【図７】
2005218479.tif 000009
【図８】
2005218479.tif 000010
【図９】
2005218479.tif 000011
【図１０】
2005218479.tif 000012
【図１１】
2005218479.tif 000013
【図１２】
2005218479.tif 000014
【図１３】
2005218479.tif 000015